(57)【要約】【課題】ジオミラクルエコ舗装透材の配合、成型加工、工法の特許出願【解決手段】本発明は、鐵鋼スラグ、高炉除冷スラグを主原料にした、配合と工法の説明書と内訳。強い圧縮強度性、曲げ強度製、耐摩耗性の強い、ジオミラクルエコ舗装の材料の配合と工法、鐵鋼スラグは、高炉除冷スラグ環境に優しい、省資源、省エネルギー材です、ジオミラクルエコ舗装、成型加工品を製造する材料の配合と工法です。。ジオミラクルエコ舗装は、環境にも優しく、雑草も生えにくい。透水性、保水性で、地球温暖化の抑制、軟弱な土壌の埋め立てに使用することで地盤の沈下や液状化現象ガ無くなります。道路、歩道、林道、駐車場に使用することで表面温度が１５度Ｃ以上低くなります、透水性の為水溜りなし、地下水の復活、滑りにくく安全歩行が出来ます。景観にも優しい表面の仕上げに、着色が出来て思いのままの景観舗装が出来ます。夢の新素材開発商品です。【特許請求の範囲】
【請求項１】
鉄鋼スラグ、高炉スラグを使用して透水性、保水性のジオミラクルエコ舗装材の配合又は製造、現場敷設工法と製造に関する配合、工法、の特許請求である。
【請求項２】
透水性、保水性ジオミラクルエコ舗装は、鉄鋼スラグ、高炉スラグ、軽石、シラス、山砕石を２．０〜１３ｍｍに粉砕した材料で、高炉セメント・ジオバインダーＢ・で混練りして敷均して６００〜１５００ｋｇ重量のローラーで転圧して、歩道、林道、駐車場、住宅の外構、庭、等に透水性、保水性のある、ジオミラクルエコ舗装材で敷設施工をして成る事を特徴とする工法。
【請求項３】
透水性、保水性を有する、ジオミラクルエコ舗装は、鉄鋼スラグ、高炉除冷スラグ、軽石、シラス、砕石を２〜１３ｍｍに粉砕した骨材に、ジオバインダーＢ、高炉セメント・水を混ぜ混練りして、含水率１０％〜２０％で敷き均して、その上を転圧機ローラー、６００〜１５００ｋｇの圧力で転圧して、歩道、林道、駐車場、住宅の外構に敷設してなる事を特徴とする工法。
【請求項４】
透水性、保水性の、ジオミラクルエコ舗装材の製造は、鉄鋼スラグ、高炉除冷スラグ、軽石、シラス、砕石を２．０〜１３ｍｍに粉砕した骨材で、成型加工品や構造物、モニュメントを作成してなることを特徴とする工法。
【請求項５】
透水性、保水性、ジオミラクルエコ舗装材の配合は、エチレン酢酸ビニール共重合体、粉末ＥＶＡエマルジョン系を高炉セメント重量の５〜２２％を混入して、鉄鋼スラグ、高炉スラグ、軽石、シラス、山砕石、のいずれかを、ジオミラクルエコ舗装材重量の６０〜８０％を混入し、清水で、平ミキサーで混練りして、含水率１０％〜１５％で混錬りして敷設して転圧機ローラーで舗装、又は成型加工して成る事を特徴とする配合と工法。
【発明の詳細な説明】
【技術分野】
【０００１】  本発明は、一般土木工事に使用される、道路、歩道、防草性舗装、林道、外構に敷設されている、コンクリート舗装、アスファルト舗装、などの土木資材を、環境に優しく、環境被害を解消する為に開発された、ジオミラクルエコ舗装は、鐵鋼スラグ、高炉スラグを主原料として開発した、この新素材で地球環境良くして成る事を特徴する。
【背景技術】
【０００２】  既存の車道、道路、歩道、駐車場等はアスファルトやコンクリート舗装で、覆い尽くされています、透水性がなく降雨になると一度に側溝に流れて海へ流れている。地下水の減少、地盤の低い地域は床下浸水、河川の氾濫の原因になっています。また、既存の透水性アスファルトは、透水率が１２％前後と低い数値であり、加えて経年変化で目詰りし、２〜３年で透水性がなくなっている。又アスファルト舗装は環境にも悪く地下水の枯渇か進み、飲料にも問題があり飲めない等公害化ガ進んでいる。
【発明が解決しようとする課題】
【０００３】  環境資材である、鐵鋼スラグ、高炉除冷スラグ、軽石シラス、山砕石で、透水性、保水性、のあるジオミラクルエコ舗装、を敷設することで、雑草防止、地下水の復活、樹木の活性化、ヒートアイランドの抑制、又ジオミラクルエコ舗装の空隙率は１３〜２５．５％に雨水を貯溜して、オーバーフローの水を側溝へ流出するのを抑え、排出量を減少させるので、住宅の雨水による床下浸水、地盤の低い水溜りの解消、河川の氾濫等の被害を最小限に抑える効果があることを特徴する。また、表面が鐵鋼スラグで高強度性、耐摩耗性があり、安全歩行で滑らず、目詰まりしにくいのが特徴である。
【課題を解決するための手段】
【０００４】  通常のアスファルト舗装や、モルタルコンクリート舗層は、透水性や保水性がない、本発明のジオミラクルエコ舗装は、透水性、保水性、耐摩耗性、防草性に優れ、又地盤軟弱な場所の埋めたてに使用することで地震による液状化現象の防止になる機能を発揮して成る事を特徴とます。
【発明の効果】
【０００５】  本発明は、鐵鋼スラグ、高炉除冷スラグ、軽石、砕石を２．０〜１３ｍｍに粉砕して、ジオミラクルエコ舗装や成型加工品、造形構造物などに加工して、側溝、歩道、駐車場、住宅周りの外構、庭、防草舗装、景観構造物等に製造可能になる、又河川の氾濫抑制、地久温暖化の抑制、低コスト、環境に優しい素材である事を特徴とする。
【発明を実施するための最良の形態】
【０００６】  本発明のジオミラクルエコ舗装を敷設施工するには、鐵鋼スラグ、高炉スラグを主原料にして、軽石、砕石、等を混合して高強度性、耐摩耗性のある、ジオミラクルエコ舗装の開発が必要であった。その開発の配合は、鉄鋼スラグ１００ｋｇに対して、高炉セメント５〜１５％、粉末エマルジョン、ＥＶＡ系を用途別々に５〜２２％を混入して成る事を特徴する。【０００７】  鐵鋼スラグ、高炉スラグ重量１００ｋｇに対して高炉セメントを５〜１５ｋｇを用途別に混入してミキサーで良く混練して、含水率１０〜１５％として敷設施工する工法、鐵鋼スラグ、高炉スラグを３〜１２ミリに篩い分けた鐵鋼スラグ、高炉除冷スラグの、重量の２０〜６０％の軽石、マサド、シラス、混入して、透水性・保水性・強度性の高いジオミラクエコ舗装にして成る事を特徴とする。【０００８】  ジオミラクルエコ舗装材の骨材として（株式会社製鉄鉱業大分）鐵鋼スラグ、高炉スラグ３〜１２ミリの２５０ｋｇの骨材に、ジオバインダーＢを重量の１０〜２０％を混入して、平ミキサーで清水を添加して、含水率１０〜１５％で混錬りして敷設施工して成る事を特徴とする。【０００９】  上記の素材配合で混入空煉り１〜２分間して清水を全重量の１０〜２０％を添加して混練り３０〜１分間して敷設施工して、転圧機ローラー重量６００〜１０００ｋｇで敷き均して仕上げて成る事を特徴とする工法である。【００１０】  ジオミラクルエコ舗装は、透水性・保水性の品質安定化のため、圧縮強度、曲げ強度を定めた規定の数値を達成するために、転圧機ローラーで６００〜１０００ｋｇの重量で転圧して成る事がジオミラクルエコ舗装の特徴である。【００１１】  ジオミラクルエコ舗装の下地には透水性のある軽石、砕石が良い。ジオミラクルエコ舗装の圧縮強度、曲強度を従来のセメント系舗装の規定の数値に達成するために強化材として、ジオバインダーＢ、カーボン繊維、ガラス繊維、さびないスチール繊維を混入して成る事を特徴とする。。【００１２】
【実施例】
【００１３】  発明者は、前記実施形態の工法でジオミラクルエコ舗装を、厚さ３０〜５０ミリで敷設するジオミラクルエコ舗装材を製造し、その強度試験表はＪＩＳで規定された試験方法で、透水試験、曲げ強度試験、圧縮強度試験、透水係数試験、空隙率試験を実施した。試験条件は以下のとおりである。【００１４】  温度２０℃、湿度６５％の条件化で、タライ型モルタルミキサーに、▲１▼ジオミラクルエコ舗装材を５ｋｇ、▲２▼鐵鋼スラグと軽石、砕石のいずれか１つを直径２．０〜１３ｍｍの大きさに粉砕したものを５０〜６０ｋｇ、▲３▼エチレンー酢酸ビニール共重合体からなる樹脂の粉末ＥＶＡエマルジョン系樹脂、高炉セメント重量の５〜２０％、▲４▼、高炉セメント重量の１〜５％、▲６▼水２〜４ｋｇ、の各材料を、供試体Ａ、Ｂ，Ｃとする。（Ａ）圧縮強度試験用に円柱１０ｃｍ×２０ｃｍ、（Ｂ）曲げ強度試験用に立方体１０ｃｍ×１０ｃｍ×４０ｃｍ、（Ｃ）透水試験用に円柱１０ｃｍ×２０ｃｍを複数用意した。なお圧縮強度試験はＪＩＳＡ１１０８、曲げ強度試験はＪＩＳＲ５２０１を参照した。透水試験：ＪＩＳＡ１２１８定水位透水試験法による、１〜６の順番で型枠に流し込んで試供体を製造する。【００１５】試験結果は、ＥＶＡエマルジョン系、それぞれの試供体で、ともに材齢２１日で、圧縮強度が１６７．９（ｋｇ／ｃｍ２）曲げ強度が３．５（ｋｇ／ｃｍ２）空隙率が２１．４〜２９．０（％）、透水係数７．１９×１０−１（ｃｍ／ｓｅｅ）であった。鐵鋼スラグ、高炉スラグ（３〜１２ミリ）５〜２．５表面乾燥密度２．６７４である。【００１６】  鐵鋼スラグ、高炉スラグ、軽石、砕石を平ミキサー混錬りして現場に敷設した。ジオミラクルエコ舗装は、景観にも美しい着色でカラーやデザイン舗装、敷設が出来てなることを特徴とする。鐵鋼スラグ、高炉スラグ、軽石、砕石の特徴である強度性と保水性、ジオミラクルエコ舗装の特徴である透水性、保水性、空隙率を生かすことで、地下水の復活、樹木の活性化、ヒートアイランド抑制になることを特徴とする。
【産業上の利用可能性】
【００１７】  鐵鋼スラグ、高炉スラグ、の高強度性、軽石の保水性、砕石の強度性、この材料を使用する事で、ジオミラクルエコ舗装は、雨水に対して施工厚さや平米数の２３〜２５．５％が水の貯留量である。舗装施工平米数が広くなると、遊水池の１つと考えることができ、土地の有効利用ができる。【００１８】  鐵鋼スラグ、高炉スラグ、軽石、砕石で透水性、保水性のジオミラクルエコ舗装は溜枡と同じ効果がある。水の貯溜効果で、ヒートアイランドの抑制ができる。  ジオミラクルエコ舗装は、環境に優しい２１世紀の環境優しい、省資源・省エネルギー材として活用として成る材料と施工、成型加工、工法です。